(57)【特許請求の範囲】
【請求項１】
所望の情報を暗号化して得られる暗号化情報を記録媒体に記録すると共に、当該記録媒体から上記暗号化情報を再生して復号化する記録再生装置において、
個人の指紋データ及び声紋データに基づいて所定フオーマツトの共通鍵を生成する共通鍵生成手段と、
上記共通鍵に基づいて上記情報を暗号化して上記暗号化情報を生成する暗号化手段と、
上記記録媒体に上記暗号化情報を記録し、当該記録媒体から上記暗号化情報を再生する記録再生手段と、
上記共通鍵に基づいて、上記記録媒体から再生された上記暗号化情報を復号化する復号化手段と
を具え、
上記共通鍵生成手段は、
上記指紋データに基づく上記個人の指紋の形状を示す第１の画像の横方向及び又は縦方向に順次排他的論理和を行うことにより得られる第１のデータと、上記声紋データに基づく上記個人の声紋の形状を示す第２の画像の横方向及び又は縦方向に順次排他的論理和を行うことにより得られる第２のデータとに基づいて上記共通鍵を生成する
ことを特徴とする記録再生装置。
【請求項２】
所望の情報を暗号化して得られる暗号化情報を記録媒体に記録すると共に、当該記録媒体から上記暗号化情報を再生して復号化する記録再生装置において、
個人の指紋データ及び声紋データに基づいて所定フオーマツトの共通鍵を生成する共通鍵生成手段と、
上記共通鍵に基づいて上記情報を暗号化して上記暗号化情報を生成する暗号化手段と、
上記記録媒体に上記暗号化情報を記録し、当該記録媒体から上記暗号化情報を再生する記録再生手段と、
上記共通鍵に基づいて、上記記録媒体から再生された上記暗号化情報を復号化する復号化手段と
を具え、
上記共通鍵生成手段は、
上記指紋データに基づく上記個人の指紋の形状を示す第１の画像の走査線に沿つてランレングス符号化を行うことにより得られる第１のデータと、上記声紋データに基づく上記個人の声紋の形状を示す第２の画像の走査線に沿つてランレングス符号化を行うことにより得られる第２のデータとに基づいて上記共通鍵を生成する
ことを特徴とする記録再生装置。
【請求項３】
上記共通鍵生成手段は、
上記個人の所定の指を撮像することにより得られる指画像データを２値化又は多値化することにより上記指の指紋画像データを生成する指紋画像データ生成手段と、
上記個人の所定の音声を入力することにより得られる音声データを上記音声の周波数に基づいて画像化して音声画像データを生成すると共に、当該音声画像データを２値化又は多値化することにより上記音声の声紋画像データを生成する声紋画像データ生成手段と、
上記指紋画像データ及び上記声紋画像データに対して強調処理を施して上記指紋データ及び上記声紋データを抽出する指紋及び声紋データ抽出手段と
を具え、
上記強調処理は、
可変サブサンプリングに基づく間引き処理である
ことを特徴とする請求項１又は請求項２に記載の記録再生装置。
【請求項４】
記録再生装置を用いて、所望の情報を暗号化して得られる暗号化情報を記録媒体に記録すると共に、当該記録媒体から上記暗号化情報を再生して復号化する記録再生方法において、
上記記録再生装置に設けられた共通鍵生成手段により、個人の指紋データ及び声紋データを取り込み、当該指紋データに基づく上記個人の指紋の形状を示す第１の画像の横方向及び又は縦方向に順次排他的論理和を行うことにより得られる第１のデータと、上記声紋データに基づく上記個人の声紋の形状を示す第２の画像の横方向及び又は縦方向に順次排他的論理和を行うことにより得られる第２のデータとに基づいて所定フオーマツトの共通鍵を生成する共通鍵生成ステツプと、
上記記録再生装置に設けられた暗号化手段により、上記共通鍵に基づいて上記情報を暗号化して上記暗号化情報を生成する暗号化ステツプと、
上記記録再生装置に設けられた記録再生手段により、上記記録媒体に上記暗号化情報を記録し、当該記録媒体から上記暗号化情報を再生する記録再生ステツプと、
上記記録再生装置に設けられた復号化手段により、上記共通鍵に基づいて、上記記録媒体から再生された上記暗号化情報を復号化する復号化ステツプと
を具えることを特徴とする記録再生方法。
【請求項５】
記録再生装置を用いて、所望の情報を暗号化して得られる暗号化情報を記録媒体に記録すると共に、当該記録媒体から上記暗号化情報を再生して復号化する記録再生方法において、
上記記録再生装置に設けられた共通鍵生成手段により、個人の指紋データ及び声紋データを取り込み、当該指紋データに基づく上記個人の指紋の形状を示す第１の画像の走査線に沿つてランレングス符号化を行うことにより得られる第１のデータと、上記声紋データに基づく上記個人の声紋の形状を示す第２の画像の走査線に沿つてランレングス符号化を行うことにより得られる第２のデータとに基づいて所定フオーマツトの共通鍵を生成する共通鍵生成ステツプと、
上記記録再生装置に設けられた暗号化手段により、上記共通鍵に基づいて上記情報を暗号化して上記暗号化情報を生成する暗号化ステツプと、
上記記録再生装置に設けられた記録再生手段により、上記記録媒体に上記暗号化情報を記録し、当該記録媒体から上記暗号化情報を再生する記録再生ステツプと、
上記記録再生装置に設けられた復号化手段により、上記共通鍵に基づいて、上記記録媒体から再生された上記暗号化情報を復号化する復号化ステツプと
を具えることを特徴とする記録再生方法。
【請求項６】
所望の情報を暗号化して得られる暗号化情報を送信すると共に、外部で送信された上記暗号化情報を受信して復号化する送受信装置において、
個人の指紋データ及び声紋データに基づいて所定フオーマツトの共通鍵を生成する共通鍵生成手段と、
上記共通鍵に基づいて上記情報を暗号化して上記暗号化情報を生成する暗号化手段と、
上記暗号化情報を送信し、上記外部で送信された上記暗号化情報を受信する送受信手段と、
上記共通鍵に基づいて、上記受信された上記暗号化情報を復号化する復号化手段と
を具え、
上記共通鍵生成手段は、
上記指紋データに基づく上記個人の指紋の形状を示す第１の画像の横方向及び又は縦方向に順次排他的論理和を行うことにより得られる第１のデータと、上記声紋データに基づく上記個人の声紋の形状を示す第２の画像の横方向及び又は縦方向に順次排他的論理和を行うことにより得られる第２のデータとに基づいて上記共通鍵を生成する
ことを特徴とする送受信装置。
【請求項７】
所望の情報を暗号化して得られる暗号化情報を送信すると共に、外部で送信された上記暗号化情報を受信して復号化する送受信装置において、
個人の指紋データ及び声紋データに基づいて所定フオーマツトの共通鍵を生成する共通鍵生成手段と、
上記共通鍵に基づいて上記情報を暗号化して上記暗号化情報を生成する暗号化手段と、
上記暗号化情報を送信し、上記外部で送信された上記暗号化情報を受信する送受信手段と、
上記共通鍵に基づいて、上記受信された上記暗号化情報を復号化する復号化手段と
を具え、
上記共通鍵生成手段は、
上記指紋データに基づく上記個人の指紋の形状を示す第１の画像の走査線に沿つてランレングス符号化を行うことにより得られる第１のデータと、上記声紋データに基づく上記個人の声紋の形状を示す第２の画像の走査線に沿つてランレングス符号化を行うことにより得られる第２のデータとに基づいて上記共通鍵を生成する
ことを特徴とする送受信装置。
【請求項８】
上記共通鍵生成手段は、
上記個人の所定の指を撮像することにより得られる指画像データを２値化又は多値化することにより上記指の指紋画像データを生成する指紋画像データ生成手段と、
上記個人の所定の音声を入力することにより得られる音声データを上記音声の周波数に基づいて画像化して音声画像データを生成すると共に、当該音声画像データを２値化又は多値化することにより上記音声の声紋画像データを生成する声紋画像データ生成手段と、
上記指紋画像データ及び上記声紋画像データに対して強調処理を施して上記指紋データ及び上記声紋データを抽出する指紋及び声紋データ抽出手段と
を具え、
上記強調処理は、
可変サブサンプリングに基づく間引き処理である
ことを特徴とする請求項６又は請求項７に記載の送受信装置。
【請求項９】
送受信装置を用いて、所望の情報を暗号化して得られる暗号化情報を送信すると共に、外部で送信された上記暗号化情報を受信して復号化する送受信方法において、
上記送受信装置に設けられた共通鍵生成手段により、個人の指紋データ及び声紋データを取り込み、当該指紋データに基づく上記個人の指紋の形状を示す第１の画像の横方向及び又は縦方向に順次排他的論理和を行うことにより得られる第１のデータと、上記声紋データに基づく上記個人の声紋の形状を示す第２の画像の横方向及び又は縦方向に順次排他的論理和を行うことにより得られる第２のデータとに基づいて所定フオーマツトの共通鍵を生成する共通鍵生成ステツプと、
上記送受信装置に設けられた暗号化手段により、上記共通鍵に基づいて上記情報を暗号化して上記暗号化情報を生成する暗号化ステツプと、
上記送受信装置に設けられた送受信手段により、上記暗号化情報を送信し、上記外部で送信された上記暗号化情報を受信する送受信ステツプと、
上記送受信装置に設けられた復号化手段により、上記共通鍵に基づいて、上記受信された上記暗号化情報を復号化する復号化ステツプと
を具えることを特徴とする送受信方法。
【請求項１０】
送受信装置を用いて、所望の情報を暗号化して得られる暗号化情報を送信すると共に、外部で送信された上記暗号化情報を受信して復号化する送受信方法において、
上記送受信装置に設けられた共通鍵生成手段により、個人の指紋データ及び声紋データを取り込み、当該指紋データに基づく上記個人の指紋の形状を示す第１の画像の走査線に沿つてランレングス符号化を行うことにより得られる第１のデータと、上記声紋データに基づく上記個人の声紋の形状を示す第２の画像の走査線に沿つてランレングス符号化を行うことにより得られる第２のデータとに基づいて所定フオーマツトの共通鍵を生成する共通鍵生成ステツプと、
上記送受信装置に設けられた暗号化手段により、上記共通鍵に基づいて上記情報を暗号化して上記暗号化情報を生成する暗号化ステツプと、
上記送受信装置に設けられた送受信手段により、上記暗号化情報を送信し、上記外部で送信された上記暗号化情報を受信する送受信ステツプと、
上記送受信装置に設けられた復号化手段により、上記共通鍵に基づいて、上記受信された上記暗号化情報を復号化する復号化ステツプと
を具えることを特徴とする送受信方法。
【発明の詳細な説明】
【０００１】
【目次】
以下の順序で本発明を説明する。
発明の属する技術分野
従来の技術
発明が解決しようとする課題
課題を解決するための手段（図１〜図４）
発明の実施の形態（図１〜図４）
発明の効果
【０００２】
【発明の属する技術分野】
本発明は記録再生装置、記録再生方法、送受信装置及び送受信方法に関し、例えば所望の情報を暗号化して記録又は送信すると共に、暗号化された情報（以下、これを暗号化情報と呼ぶ）を再生又は受信して復号化する記録再生装置又は送受信装置及びこれら各装置を用いた記録再生方法又は送受信方法に適用して好適なものである。
【０００３】
【従来の技術】
従来、この種の記録再生装置においては、記録媒体としてＩＣ（Integrated Circuit）カードが用いられるものがある。
近年、ＩＣカードはネツトワーク上での金融決裁に用いられるキヤツシユカードや個人を特定するＩＤ（Identification）カード及び特定の施設の入門証、さらには病院の診察券等として広く使用されはじめており、個人情報等が記録されている。
【０００４】
このため記録再生装置においては、ＩＣカードに個人情報等を記録する場合、個人情報等を暗号化することにより暗号化情報としてＩＣカードに記録するようになされている。これによりＩＣカードに記録された個人情報等に対する安全性（セキユリテイ）を確保し得るようになされている。
【０００５】
【発明が解決しようとする課題】
ところで記録再生装置においては、ＩＣカードによつて個人を認証する場合や、当該ＩＣカードに記録された暗号化情報を復号化する場合には、個人に特有の暗唱番号等のパスワードが用いられている。
ところがこのようなパスワードは、不正利用者に容易に見破られる可能性がある。このため不正利用者がＩＣカードに記録されている他人の情報を容易に解読し得ると共に、この不正利用者がＩＣカードを用いて当該ＩＣカードを必要とする種々のシステムを容易に動作させる等の問題があつた。
【０００６】
本発明は以上の点を考慮してなされたもので、個人情報をほぼ確実に秘匿し得る記録再生装置、記録再生方法、送受信装置及び送受信方法を提案しようとするものである。
【０００７】
【課題を解決するための手段】
かかる課題を解決するため本発明においては、所望の情報を暗号化して得られる暗号化情報を記録媒体に記録すると共に、当該記録媒体から暗号化情報を再生して復号化する記録再生装置において、個人の指紋データ及び声紋データに基づいて所定フオーマツトの共通鍵を生成する共通鍵生成手段と、共通鍵に基づいて情報を暗号化して暗号化情報を生成する暗号化手段と、記録媒体に暗号化情報を記録し、当該記録媒体から暗号化情報を再生する記録再生手段と、共通鍵に基づいて、記録媒体から再生された暗号化情報を復号化する復号化手段とを設けるようにし、共通鍵生成手段により、指紋データに基づく個人の指紋の形状を示す第１の画像の横方向及び又は縦方向に順次排他的論理和を行うことにより得られる第１のデータと、声紋データに基づく個人の声紋の形状を示す第２の画像の横方向及び又は縦方向に順次排他的論理和を行うことにより得られる第２のデータとに基づいて共通鍵を生成するようにした。
【０００８】
また本発明においては、記録再生装置を用いて、所望の情報を暗号化して得られる暗号化情報を記録媒体に記録すると共に、当該記録媒体から暗号化情報を再生して復号化する記録再生方法において、記録再生装置に設けられた共通鍵生成手段により、個人の指紋データ及び声紋データを取り込み、当該指紋データに基づく個人の指紋の形状を示す第１の画像の横方向及び又は縦方向に順次排他的論理和を行うことにより得られる第１のデータと、声紋データに基づく個人の声紋の形状を示す第２の画像の横方向及び又は縦方向に順次排他的論理和を行うことにより得られる第２のデータとに基づいて所定フオーマツトの共通鍵を生成し、記録再生装置に設けられた暗号化手段により、共通鍵に基づいて情報を暗号化して暗号化情報を生成し、記録再生装置に設けられた記録再生手段により、記録媒体に暗号化情報を記録し、当該記録媒体から暗号化情報を再生し、記録再生装置に設けられた復号化手段により、共通鍵に基づいて、記録媒体から再生された暗号化情報を復号化するようにした。
【０００９】
さらに本発明においては、所望の情報を暗号化して得られる暗号化情報を送信すると共に、外部で送信された暗号化情報を受信して復号化する送受信装置において、個人の指紋データ及び声紋データに基づいて所定フオーマツトの共通鍵を生成する共通鍵生成手段と、共通鍵に基づいて情報を暗号化して暗号化情報を生成する暗号化手段と、暗号化情報を送信し、外部で送信された暗号化情報を受信する送受信手段と、共通鍵に基づいて、受信された暗号化情報を復号化する復号化手段とを設けるようにし、共通鍵生成手段により、指紋データに基づく個人の指紋の形状を示す第１の画像の横方向及び又は縦方向に順次排他的論理和を行うことにより得られる第１のデータと、声紋データに基づく個人の声紋の形状を示す第２の画像の横方向及び又は縦方向に順次排他的論理和を行うことにより得られる第２のデータとに基づいて共通鍵を生成するようにした。
【００１０】
さらに本発明においては、送受信装置を用いて、所望の情報を暗号化して得られる暗号化情報を送信すると共に、外部で送信された暗号化情報を受信して復号化する送受信方法において、送受信装置に設けられた共通鍵生成手段により、個人の指紋データ及び声紋データを取り込み、当該指紋データに基づく個人の指紋の形状を示す第１の画像の横方向及び又は縦方向に順次排他的論理和を行うことにより得られる第１のデータと、声紋データに基づく個人の声紋の形状を示す第２の画像の横方向及び又は縦方向に順次排他的論理和を行うことにより得られる第２のデータとに基づいて所定フオーマツトの共通鍵を生成し、送受信装置に設けられた暗号化手段により、共通鍵に基づいて情報を暗号化して暗号化情報を生成し、送受信装置に設けられた送受信手段により、暗号化情報を送信し、外部で送信された暗号化情報を受信し、送受信装置に設けられた復号化手段により、共通鍵に基づいて、受信された暗号化情報を復号化するようにした。
【００１１】
従つて本発明では、記録再生装置において、個人の指紋データに基づく指紋の形状を示す第１の画像及び声紋データに基づく声紋の形状を示す第２の画像のそれぞれ横方向及び又は縦方向に順次排他的論理和を行うことにより得られる第１及び第２のデータに基づいて共通鍵を生成することで、不正利用者に容易には見破られ難い共通鍵を生成することができ、その結果、暗号化情報の解読を防止することができる。
【００１２】
また本発明では、記録再生装置を用いた記録再生方法において、個人の指紋データに基づく指紋の形状を示す第１の画像及び声紋データに基づく声紋の形状を示す第２の画像のそれぞれ横方向及び又は縦方向に順次排他的論理和を行うことにより得られる第１及び第２のデータに基づいて共通鍵を生成することで、不正利用者に容易には見破られ難い共通鍵を生成することができ、その結果、暗号化情報の解読を防止することができる。
【００１３】
さらに本発明では、送受信装置において、個人の指紋データに基づく指紋の形状を示す第１の画像及び声紋データに基づく声紋の形状を示す第２の画像のそれぞれ横方向及び又は縦方向に順次排他的論理和を行うことにより得られる第１及び第２のデータに基づいて共通鍵を生成することで、不正利用者に容易には見破られ難い共通鍵を生成することができ、その結果、暗号化情報が送信途中に他の送受信装置で受信された場合でも当該暗号化情報が解読されることを防止することができる。
【００１４】
さらに本発明では、送受信装置を用いた送受信方法において、個人の指紋データに基づく指紋の形状を示す第１の画像及び声紋データに基づく声紋の形状を示す第２の画像のそれぞれ横方向及び又は縦方向に順次排他的論理和を行うことにより得られる第１及び第２のデータに基づいて共通鍵を生成することで、不正利用者に容易には見破られ難い共通鍵を生成することができ、その結果、暗号化情報が送信途中に他の送受信装置で受信された場合でも当該暗号化情報が解読されることを防止することができる。
【００１５】
【発明の実施の形態】
以下図面について、本発明の一実施例を詳述する。
【００１６】
図１において、１は全体として実施例による記録再生装置を示し、個人に特有な指紋及び声紋に基づいて共通鍵を生成し、当該共通鍵に基づいて所望の情報を暗号化してＩＣカード２に記録すると共に、当該ＩＣカード２から暗号化情報を再生して共通鍵に基づいて復号化し得るようになされている。
【００１７】
この場合図示しない所定のテレビカメラによつて個人の所定の指を撮像し、この指の画像に応じた指画像信号Ｓ１を共通鍵生成回路３に設けられた指紋画像データ生成部４に入力する。また図示しないマイクロフオンによつて所定の文字に相当する個人の音声を入力し、当該音声に応じた音声信号Ｓ２を共通鍵生成回路３の声紋画像データ生成部５に送出する。
【００１８】
ここでまず指紋画像データ生成部４は、入力された指画像信号Ｓ１を図示しないアナログデイジタル変換器（以下、これをＡ／Ｄ変換器と呼ぶ）を介して指画像データに変換し、当該指画像データを所定数のフレーム間において積算処理して平均化する。これによりノイズが低減された指画像データが得られ、この後当該指画像データの各画素をそれぞれ所定の第１のしきい値と大小比較して２値化する。かくして指紋画像データ生成部４は、指紋の溝の形状に沿つて黒色のパターンを形成する指紋画像データＤ１を生成し、当該指紋画像データＤ１を共通鍵生成回路３の共通鍵生成部６に送出する。
【００１９】
一方、声紋画像データ生成部５は、入力された音声信号Ｓ２を図示しないＡ／Ｄ変換器を介して音声データに変換し、当該音声データを図示しない所定のホルマント周波数分析部において音声の音韻に応じた周波数帯域毎に分割してこれら各周波数帯域毎の周波数を抽出する。この後各周波数帯域毎の周波数に基づいて音声データを音声波形の画像に変換して当該画像に基づく音声画像データを生成する。次いで音声画像データの各画素をそれぞれ所定の第２のしきい値と大小比較して２値化する。かくして声紋画像データ生成部５は、声紋の形状に沿つて黒色のパターンを形成する声紋画像データＤ２を生成し、当該声紋画像データＤ２を共通鍵生成部６に送出する。
【００２０】
共通鍵生成部６は、入力された指紋画像データＤ１及び声紋画像データＤ２のフオーマツトを所定フオーマツトに変換して個人に特有な共通鍵を生成し、当該共通鍵に応じた共通鍵データＤ３を記録再生回路７のそれぞれ暗号化部８及び復号化部９に送出する。
【００２１】
ここで、まずこの記録再生装置１においては、所望の情報を記録する場合、ホストコンピユータ１０から診療情報等の情報に応じた情報データＤ４を暗号化部８に入力すると共に、当該暗号化部８に共通鍵生成部６から共通鍵データＤ３を入力する。
暗号化部８は、素因数分解を原理としたＲＳＡ（Rivest-Shamir-Adleman ）暗号方式により共通鍵に基づいて情報データＤ４に応じた情報を暗号化して暗号化情報を生成し、当該暗号化情報に応じた暗号化情報データＤ５をＩＣカード記録部１１に送出する。
【００２２】
ＩＣカード記録部１１は、暗号化情報データＤ５が入力されたとき、記録開始信号Ｓ３を端子１２を介してＩＣカード２に送出すると共に、当該暗号化情報データＤ５のフオーマツトをＩＣカード２内の記録フオーマツトに変換する。この後フオーマツトを変換した暗号化情報データＤ６をＩＣカード２に送出する。
ここでＩＣカード２は、当該ＩＣカード２と記録再生回路７とを接続するインターフエイス（Ｉ／Ｆ）１５と、暗号化情報データＤ６が記録されるＲＯＭ（Read Only Memory）１６と、当該ＲＯＭ１６に暗号化情報データＤ６を記録し、又は当該ＲＯＭ１６から暗号化情報データＤ６を再生する所定の記録プログラム及び再生プログラムが書き込まれたＲＡＭ（Random Access Memory）１７とが内部バス１８を介してＣＰＵ１９に接続されて構成されている。
【００２３】
実際上ＩＣカード２においては、ＩＣカード記録部１１から出力された記録開始信号Ｓ３がＩ／Ｆ１５に入力され、当該Ｉ／Ｆ１５は入力された記録開始信号Ｓ３を内部バス１８を介してＣＰＵ１９に送出する。
ＣＰＵ１９は、入力された記録開始信号Ｓ３に基づいて記録制御信号Ｓ４を内部バス１８を介してＲＡＭ１７に送出し、当該ＲＡＭ１７に書き込まれている記録プログラムを起動させることによりこの記録プログラムに基づいてＩ／Ｆ１５及びＲＯＭ１６を制御する。
【００２４】
このときＩ／Ｆ１５には、ＩＣカード記録部１１から暗号化情報データＤ６が入力され、ＣＰＵ１９は暗号化情報データＤ６をＩ／Ｆ１５から内部バス１８を介してＲＯＭ１６に送出し、当該ＲＯＭ１６に暗号化情報データＤ６を記録する。このように記録再生装置１においては、共通鍵に基づいて暗号化した所望の情報をＩＣカード２内のＲＯＭ１６に記録し得るようになされている。
【００２５】
一方、この記録再生装置１においては、所望の情報を再生する場合、ホストコンピユータ１０から記録再生回路７のＩＣカード再生部２０に所望の情報に対する図示しない再生開始信号を送出し、当該ＩＣカード再生部２０は、入力された再生開始信号Ｓ５を端子１２を介してＩＣカード２のＩ／Ｆ１５に送出する。
Ｉ／Ｆ１５は入力された再生開始信号Ｓ５を内部バス１８を介してＣＰＵ１９に送出する。ＣＰＵ１９は、入力された再生開始信号Ｓ５に基づいて再生制御信号Ｓ６を内部バス１８を介してＲＡＭ１７に送出し、当該ＲＡＭ１７に書き込まれている再生プログラムを起動させることによりこの再生プログラムに基づいてＩ／Ｆ１５及びＲＯＭ１６を制御する。これによりＣＰＵ１９は、ＲＯＭ１６に記録されている複数の暗号化情報データＤ６のうち所望の暗号化情報データＤ６を再生し、当該暗号化情報データＤ６を内部バス１８及びＩ／Ｆ１５を順次介してＩＣカード再生部２０に送出する。
【００２６】
ＩＣカード再生部２０は、入力された暗号化情報データＤ６のフオーマツト（ＩＣカード２内の記録フオーマツト）を記録再生装置１内のフオーマツトに変換し、当該フオーマツトが変換された暗号化情報データＤ７を復号化部９に送出する。
復号化部９は、共通鍵生成部６から共通鍵データＤ３が入力されており、暗号化情報データＤ７に応じた暗号化情報をＲＳＡ暗号方式により共通鍵データＤ３の共通鍵に基づいて復号化する。これによりこの復号化部９は、復号化された情報に応じた情報データＤ８をホストコンピユータ１０に送出する。このように記録再生装置１においては、ＩＣカード２から暗号化情報を再生すると共に、共通鍵に基づいて当該暗号化情報を復号化し得るようになされている。
なおホストコンピユータ１０は、入力された情報データＤ８に応じた情報を図示しない表示部に表示し又はプリンタ等の図示しない所定の出力部を介して出力する。
【００２７】
ここで、実際上図２に示すように、共通鍵生成回路３の共通鍵生成部６においては、指紋及び声紋データ抽出部２５と所定のフオーマツト変換部２６とから構成されている。
この場合、まず指紋画像データ生成部４から出力された指紋画像データＤ１は、指紋及び声紋データ抽出部２５の第１の間引き部２７に入力され、当該第１の間引き部２７は、指紋画像データＤ１に基づく画像に対して可変サブサンプリングを行う。これにより第１の間引き部２７は、指紋の溝が密集している部分以外の冗長な部分を間引いて画像を圧縮し、例えば 256×256 画素程度の大きさでなり、指紋の特徴が比較的強くでる画像を生成すると共に、当該画像に基づく指紋データＤ１０をフオーマツト変換部２６に送出する。
【００２８】
一方、声紋画像データ生成部５から出力された声紋画像データＤ２は、指紋及び声紋データ抽出部２５の第２の間引き部２８に入力され、当該第２の間引き部２８は、声紋画像データＤ２に基づく画像に対して上述した第１の間引き部２７と同様に可変サブサンプリングを行う。これにより第２の間引き部２８は、声紋が密集している部分以外の冗長な部分を間引いて画像を圧縮し、例えば 256×256 画素程度の大きさでなり、声紋の特徴が比較的強くでる画像を生成すると共に、当該画像に基づく声紋データＤ１１をフオーマツト変換部２６に送出する。
【００２９】
ここで図３に示すように、フオーマツト変換部２６は、入力された指紋データＤ１０に基づく第１の画像３０の横方向及び縦方向にそれぞれ順次排他的論理和を行い、当該第１の画像３０の横方向及び縦方向においてそれぞれ 256ビツトのデータ３１及び３２を得る。この後これら各データを所定フオーマツトで繋ぎ合わせて 512ビツトの第１のデータを得る。
また入力された声紋データＤ１１に基づく第２の画像３３の横方向及び縦方向にそれぞれ順次排他的論理和を行い、当該第２の画像３３の横方向及び縦方向においてそれぞれ 256ビツトのデータ３４及び３５を得る。この後これら各データを所定フオーマツトで繋ぎ合わせて 512ビツトの第２のデータを得る。
【００３０】
次いでこのフオーマツト変換部２６は、指紋データＤ１０から得られた第１のデータと、声紋データＤ１１から得られた第２のデータとを並列にし、これら第１及び第２のデータの横方向及び縦方向にそれぞれ順次排他的論理和を行う。これにより第１及び第２のデータの横方向において２ビツトのデータを得ると共に、第１及び第２のデータの縦方向において 512ビツトのデータを得る。この後フオーマツト変換部２６は、これら２ビツトのデータと 512ビツトのデータとを所定フオーマツトで繋ぎ合わせることにより個人に特有な指紋及び声紋の特徴が強く出ており、かつ容易には見破り難い514 ビツトのデータからなる共通鍵を生成し得るようになされている。
【００３１】
以上の構成において、記録再生装置１においては、まず指紋画像データ生成部４において指の画像を２値化してなる指紋画像データＤ１を生成して共通鍵生成部６に送出する。また声紋画像データ生成部５において音声データを画像化すると共に２値化してなる声紋画像データＤ２を生成して共通鍵生成部６に送出する。次いで第１の間引き部２７において指紋画像データＤ１に基づく画像を指紋の特徴が比較的強くでるように間引くことにより指紋データＤ１０を生成してフオーマツト変換部２６に送出する。また第２の間引き部２８において声紋画像データＤ２に基づく画像を声紋の特徴が比較的強くでるように間引くことにより声紋データＤ１１を生成してフオーマツト変換部２６に送出する。
【００３２】
続いてフオーマツト変換部２６において入力された指紋データＤ１０及び声紋データＤ１１に基づいて所定フオーマツトの共通鍵を生成する。これにより記録再生装置１においては、まず情報を記録する場合には、暗号化部８に共通鍵に応じた共通鍵データＤ３を入力すると共に、所望の情報に応じた情報データＤ４を入力し、当該暗号化部８において所望の情報を共通鍵に基づいて暗号化して暗号化情報を生成する。かくして暗号化情報に応じた暗号化情報データＤ５をＩＣカード記録部１１を介してＩＣカード２に送出することにより当該暗号化情報をＩＣカード２に記録することができる。
【００３３】
一方、情報を再生する場合には、ＩＣカード２から所望の暗号化情報データＤ６を再生し、当該暗号化情報データＤ６をＩＣカード再生部２０を介して復号化部９に入力すると共に、当該復号化部９に共通鍵データＤ３を入力する。これにより復号化部９において暗号化情報データＤ７に応じた暗号化情報を共通鍵に基づいて復号化することができる。
【００３４】
従つてこの記録再生装置１においては、共通鍵生成回路３の指紋画像データ生成部４において指画像データから２値化した指紋画像データＤ１を生成すると共に、声紋画像データ生成部５において音声データから２値化した声紋画像データＤ２を生成し、共通鍵生成部６において指紋画像データＤ１及び声紋画像データＤ２からそれぞれ指紋データＤ１０及び声紋データＤ１１を生成すると共に、これら指紋データＤ１０及び声紋データＤ１１に基づいて個人に特有な指紋及び声紋からなる所定フオーマツトの共通鍵を生成するようにしたことにより、個人をほぼ確実に認証し得る共通鍵を生成することができる。
またこの記録再生装置１においては、このような共通鍵を生成するようにしたことにより、不正利用者による個人のＩＣカード２の使用をほぼ完全に防止することができる。
【００３５】
さらにこの記録再生装置１においては、指紋及び声紋データ生成部２５において指紋画像データＤ１及び声紋画像データＤ２をそれぞれ個人の指紋及び声紋の特徴が比較的強くでるように間引いて指紋データＤ１０及び声紋データＤ１１を生成すると共に、これら指紋データＤ１に基づく第１の画像と、声紋データＤ１１に基づく第２の画像とをそれぞれ横方向及び縦方向に順次排他的論理和を行い、これにより得られた第１及び第２のデータに基づいて共通鍵を生成するようにしたことにより、当該共通鍵を不正利用者に容易には見破られ難くすることができる。
【００３６】
以上の構成によれば、個人に特有な指紋及び声紋に基づいてそれぞれ指紋データＤ１０及び声紋データＤ１１を生成し、これら指紋データＤ１０及び声紋データＤ１１に基づいて所定フオーマツトの共通鍵を生成する共通鍵生成回路３と、当該共通鍵に基づいて所望の情報を暗号化する暗号化部８と、共通鍵に基づいて暗号化情報を復号化する復号化部９とを設けるようにしたことにより、不正利用者に容易には見破られ難い共通鍵を生成することができるので、暗号化情報の解読を防止することができ、かくして個人情報をほぼ確実に秘匿し得る記録再生装置を実現することができる。
【００３７】
また以上の構成によれば、個人に特有な指紋及び声紋に基づいてそれぞれ指紋データＤ１０及び声紋データＤ１１を生成すると共に、これら指紋データＤ１０及び声紋データＤ１１に基づいて所定フオーマツトの共通鍵を生成し、次いで当該共通鍵に基づいて所望の情報を暗号化し、続いて共通鍵に基づいて暗号化情報を復号化するようにしたことにより、当該暗号化情報の解読を防止することができ、かくして個人情報をほぼ確実に秘匿し得る記録再生方法を実現することができる。
【００３８】
なお上述の実施例においては、本発明を記録再生装置１に適用するようにした場合について述べたが、本発明はこれに限らず、例えば記録再生装置１のＩＣカード記録部１１に変えて所定の送信回路を設けると共に、ＩＣカード再生部２０に変えて所定の受信回路を設けるようにした送受信装置に適用するようにしても良い。
【００３９】
ここで、実際上送受信装置においては、まず所望の情報を送信する場合には、記録再生装置１の場合と同様に共通鍵生成回路において個人に特有な指紋及び声紋に基づいてそれぞれ指紋データ及び声紋データを生成すると共に、これら指紋データ及び声紋データに基づいて所定フオーマツトの共通鍵を生成して暗号化部に送出する。次いで暗号化部においてホストコンピユータから入力された所望の情報を例えばＲＳＡ暗号方式により共通鍵に基づいて暗号化して送信回路に送出する。続いて送信回路において入力された暗号化情報を伝送するための所定フオーマツトに変換して送信する。
【００４０】
一方、この送受信装置において暗号化情報を受信する場合には、外部から送信された暗号化情報を受信回路によつて受信して、当該受信回路において暗号化情報を送受信装置内の所定フオーマツトに変換して復号化部に送出する。この場合復号化部には上述した共通鍵が入力されており、ＲＳＡ暗号方式により暗号化情報を共通鍵に基づいて復号化する。これによりこの送受信装置においては、送信途中の暗号化情報が他の送受信装置において受信された場合でも当該暗号化情報の解読を防止することができ、かくして送信途中の個人情報をほぼ確実に秘匿し得る送受信装置及び送受信方法を実現することができる。
【００４１】
また上述の実施例においては、暗号化部８及び復号化部９において、それぞれ入力された所望の情報及び暗号化情報をＲＳＡ暗号方式により共通鍵に基づいて暗号化及び復号化するようにした場合について述べたが、本発明はこれに限らず、ＲＳＡ暗号方式に変えて素因数分解を原理とするウイリアムス暗号方式、ラピン暗号方式及び逆数暗号方式又は誤り訂正符号を原理とするマクリース暗号方式等のこの他種々の暗号方式を用いるようにしても良い。
【００４２】
さらに上述の実施例においては、共通鍵生成部６のフオーマツト変換部２６において入力された指紋データＤ１０及び声紋データＤ１１に基づく第１及び第２の画像３０及び３３の横方向及び縦方向にそれぞれ順次排他的論理和を行うようにして共通鍵を生成するようにした場合について述べたが、本発明はこれに限らず、この他種々の方式に基づいて所定フオーマツトの共通鍵を生成するようにしても良い。
【００４３】
ここで例えば図４に示すように、フオーマツト変換部２６においては、指紋データＤ１０に基づく第１の画像３０の走査線に沿つてランレングス符号化を行うことにより得られる第３のデータと、声紋データＤ１１に基づく第２の画像３３の走査線に沿つてランレングス符号化を行うことにより得られる第４のデータのうち一方の短い第３のデータ（又は第４のデータ）に対して他方の長い第４のデータ（又は第３のデータ）に長さを合わせるように所定のダミーデータを繋ぎ合わせる。この後これら第３及び第４のデータを並列にして横方向及び縦方向に順次排他的論理和を行い、これら第３及び第４のデータのそれぞれ横方向及び縦方向において得られるデータを繋ぎ合わせることにより共通鍵を生成するようにしても良い。
【００４４】
また指紋データＤ１０に基づく第１の画像３０及び声紋データＤ１１に基づく第２の画像３３のそれぞれ横方向及び縦方向に排他的論理和を行つた後、又は上述したように第１及び第２の画像３０及び３３の走査線に沿つてランレングス符号化を行つた後、指紋データＤ１０及び声紋データＤ１１においてそれぞれ得られたデータの各ビツトを交互に並べて繋ぎ合わせたり、ランダムに繋ぎ合わせるようにして共通鍵を生成するようにしても良い。これにより実施例の場合よりも共通鍵を不正利用者にさらに見破られ難くすることができる。
【００４５】
さらに上述の実施例においては、第１の間引き部２７及び第２の間引き部２８においてそれぞれ指紋画像データＤ１及び声紋画像データＤ２を間引いて圧縮することにより、 256×256 画素程度の大きさでなる指紋データＤ１０と声紋データＤ１１とを生成するようにした場合について述べたが、本発明はこれに限らず、第１の間引き部２７及び第２の間引き部２８において個人の指紋及び声紋の特徴を比較的強くだし得れば、この他種々の大きさでなる画像に基づく指紋データＤ１０及び声紋データＤ１１を生成するようにしても良い。
【００４６】
さらに上述の実施例においては、指紋画像データ生成部４において指画像データに基づく画像を２値化して指紋画像データＤ１を生成すると共に、声紋画像データ生成部５において音声データを画像化した後、当該画像を２値化して声紋画像データＤ２を生成するようにした場合について述べたが、本発明はこれに限らず、指紋の溝及び声紋の形状が判別し得れば、指画像データに基づく画像の各画素及び音声データを画像化した当該画像の各画素をそれぞれ複数の所定のしきい値と大小比較してそれぞれ各画像を多値化するようにして指紋画像データＤ１及び声紋画像データＤ２を生成するようにしても良い。
【００４７】
さらに上述の実施例においては、記録再生装置１に用いる記録媒体としてＩＣカード２を用いるようにした場合について述べたが、本発明はこれに限らず、磁気ストライプカードや光カード等のこの他種々の記録媒体を用いるようにしても良い。
【００４８】
【発明の効果】
上述のように本発明によれば、所望の情報を暗号化して得られる暗号化情報を記録媒体に記録すると共に、当該記録媒体から暗号化情報を再生して復号化する記録再生装置において、個人の指紋データ及び声紋データに基づいて所定フオーマツトの共通鍵を生成する共通鍵生成手段と、共通鍵に基づいて情報を暗号化して暗号化情報を生成する暗号化手段と、記録媒体に暗号化情報を記録し、当該記録媒体から暗号化情報を再生する記録再生手段と、共通鍵に基づいて、記録媒体から再生された暗号化情報を復号化する復号化手段とを設けるようにし、共通鍵生成手段により、指紋データに基づく個人の指紋の形状を示す第１の画像の横方向及び又は縦方向に順次排他的論理和を行うことにより得られる第１のデータと、声紋データに基づく個人の声紋の形状を示す第２の画像の横方向及び又は縦方向に順次排他的論理和を行うことにより得られる第２のデータとに基づいて共通鍵を生成するようにしたことにより、不正利用者に容易には見破られ難い共通鍵を生成して、暗号化情報の解読を防止することができ、かくして個人情報をほぼ確実に秘匿し得る記録再生装置を実現することができる。
【００４９】
また上述のように本発明によれば、記録再生装置を用いて、所望の情報を暗号化して得られる暗号化情報を記録媒体に記録すると共に、当該記録媒体から暗号化情報を再生して復号化する記録再生方法において、記録再生装置に設けられた共通鍵生成手段により、個人の指紋データ及び声紋データを取り込み、当該指紋データに基づく個人の指紋の形状を示す第１の画像の横方向及び又は縦方向に順次排他的論理和を行うことにより得られる第１のデータと、声紋データに基づく個人の声紋の形状を示す第２の画像の横方向及び又は縦方向に順次排他的論理和を行うことにより得られる第２のデータとに基づいて所定フオーマツトの共通鍵を生成し、記録再生装置に設けられた暗号化手段により、共通鍵に基づいて情報を暗号化して暗号化情報を生成し、記録再生装置に設けられた記録再生手段により、記録媒体に暗号化情報を記録し、当該記録媒体から暗号化情報を再生し、記録再生装置に設けられた復号化手段により、共通鍵に基づいて、記録媒体から再生された暗号化情報を復号化するようにしたことにより、不正利用者に容易には見破られ難い共通鍵を生成して、暗号化情報の解読を防止することができ、かくして個人情報をほぼ確実に秘匿し得る記録再生方法を実現することができる。
【００５０】
さらに上述のように本発明によれば、所望の情報を暗号化して得られる暗号化情報を送信すると共に、外部で送信された暗号化情報を受信して復号化する送受信装置において、個人の指紋データ及び声紋データに基づいて所定フオーマツトの共通鍵を生成する共通鍵生成手段と、共通鍵に基づいて情報を暗号化して暗号化情報を生成する暗号化手段と、暗号化情報を送信し、外部で送信された暗号化情報を受信する送受信手段と、共通鍵に基づいて、受信された暗号化情報を復号化する復号化手段とを設けるようにし、共通鍵生成手段により、指紋データに基づく個人の指紋の形状を示す第１の画像の横方向及び又は縦方向に順次排他的論理和を行うことにより得られる第１のデータと、声紋データに基づく個人の声紋の形状を示す第２の画像の横方向及び又は縦方向に順次排他的論理和を行うことにより得られる第２のデータとに基づいて共通鍵を生成するようにしたことにより、不正利用者に容易には見破られ難い共通鍵を生成して、暗号化情報が送信途中に他の送受信装置で受信された場合でも当該暗号化情報が解読されることを防止することができ、かくして送信途中の個人情報をほぼ確実に秘匿し得る送受信装置を実現することができる。
【００５１】
さらに上述のように本発明によれば、送受信装置を用いて、所望の情報を暗号化して得られる暗号化情報を送信すると共に、外部で送信された暗号化情報を受信して復号化する送受信方法において、送受信装置に設けられた共通鍵生成手段により、個人の指紋データ及び声紋データを取り込み、当該指紋データに基づく個人の指紋の形状を示す第１の画像の横方向及び又は縦方向に順次排他的論理和を行うことにより得られる第１のデータと、声紋データに基づく個人の声紋の形状を示す第２の画像の横方向及び又は縦方向に順次排他的論理和を行うことにより得られる第２のデータとに基づいて所定フオーマツトの共通鍵を生成し、送受信装置に設けられた暗号化手段により、共通鍵に基づいて情報を暗号化して暗号化情報を生成し、送受信装置に設けられた送受信手段により、暗号化情報を送信し、外部で送信された暗号化情報を受信し、送受信装置に設けられた復号化手段により、共通鍵に基づいて、受信された暗号化情報を復号化するようにしたことにより、不正利用者に容易には見破られ難い共通鍵を生成して、暗号化情報が送信途中に他の送受信装置で受信された場合でも当該暗号化情報が解読されることを防止することができ、かくして送信途中の個人情報をほぼ確実に秘匿し得る送受信装置を実現することができる。
【図面の簡単な説明】
【図１】  本発明の一実施例による記録再生装置の構成を示すブロツク図である。
【図２】  本発明の一実施例による記録再生装置の共通鍵生成部の構成を示すブロツク図である。
【図３】  本発明の一実施例による共通鍵生成部のフオーマツト変換部における排他的論理和の説明に供する略線図である。
【図４】  他の実施例による共通鍵生成部のフオーマツト変換部におけるランレングス符号化の説明に供する略線図である。
【符号の説明】
１……記録再生装置、２……ＩＣカード、３……共通鍵生成回路、４……指紋画像データ生成部、５……声紋画像データ生成部、６……共通鍵生成部、８……暗号化部、９……復号化部、２５……指紋及び声紋データ抽出部、２６……フオーマツト変換部、２７……第１の間引き部、２８……第２の間引き部。
【図１】
0003714492.tif 000002
【図２】
0003714492.tif 000003
【図３】
0003714492.tif 000004
【図４】
0003714492.tif 000005